(57)【特許請求の範囲】
【請求項１】
集塵室及び電動機室を内蔵し、前記集塵室に連通する吸気口と第１把手部を形成する小型掃除機本体と、該小型掃除機本体の側壁に形成された第１排気口と、前記小型掃除機本体を着脱自在に保持し、上面に第２把手部を立設するアップライト型掃除機本体ケースと、該アップライト型掃除機本体ケースの保持部側壁に形成された第２排気口と、前記アップライト型掃除機本体ケースの下部に形成され、吸込具に連通した通気口とを備え、前記小型掃除機本体を前記アップライト型掃除機本体ケースに取りつけた際に、前記小型掃除機本体の吸気口と前記アップライト型掃除機本体ケースの通気口とを連通させ、前記第１排気口と前記第２排気口とを互いに重なり合わない位置に形成するとともに、前記小型掃除機本体の上部と前記アップライト型掃除機本体ケースとの間に、前記第１排気口から排気される空気が前記第２排気口から直接排気されないことで排気の騒音を低減できる排気室を形成したことを特徴とする電気掃除機。
【発明の詳細な説明】
【０００１】
【発明の属する技術分野】
本発明は、小型電気掃除機及びアップライト型電気掃除機として使用できる電気掃除機に関する。
【０００２】
【従来の技術】
従来、アップライト型電気掃除機の本体に、小型電気掃除機(ハンドクリーナ ー)を着脱自在に取りつけたものとして、Ｕ.Ｓ.Ｐ4,683,607がある。
【０００３】
この掃除機は、アップライト型電気掃除機の本体部に、ハンドクリーナーを保持する保持ケースを形成したものであるが、各々独立した縦型掃除機とハンドクリーナーを単に着脱自在に取りつけたものであり、ハンドクリーナーを取りつけた状態でアップライト型クリーナーを使用する際には、２つのモーターの重量を受けるために、クリーナー本体を前後摺動しにくく操作性に欠ける欠点があるとともに、美観を損なう欠点がある。
【０００４】
【発明が解決しようとする課題】
本発明は、上記欠点に鑑みなされたもので、縦型としてもハンドクリーナーとしても使用でき、操作性のよい電気掃除機を提供することを課題とする。
【０００５】
【課題を解決するための手段】
本発明は、集塵室及び電動機室を内蔵し、前記集塵室に連通する吸気口と第１把手部を形成する小型掃除機本体と、該小型掃除機本体の側壁に形成された第１排気口と、前記小型掃除機本体を着脱自在に保持し、上面に第２把手部を立設するアップライト型掃除機本体ケースと、該アップライト型掃除機本体ケースの保持部側壁に形成された第２排気口と、前記アップライト型掃除機本体ケースの下部に形成され、吸込具に連通した通気口とを備え、前記小型掃除機本体を前記アップライト型掃除機本体ケースに取りつけた際に、前記小型掃除機本体の吸気口と前記アップライト型掃除機本体ケースの通気口とを連通させ、前記第１排気口と前記第２排気口とを互いに重なり合わない位置に形成するとともに、前記小型掃除機本体の上部と前記アップライト型掃除機本体ケースとの間に、前記第１排気口から排気される空気が前記第２排気口から直接排気されないことで排気の騒音を低減できる排気室を形成したことを特徴とする。
【００１０】
１は小型掃除機本体で、集塵袋２を収納する集塵室３と電動送風機４を収納する電動機収納室５とを形成するとともに、先端部に前記集塵室３に連通する吸込開口６を有し、他端部に把手部７を一体形成している。８は前記把手部７の端部に形成された凹所で、後述するアップライト型本体ケース12のハンドル部14に配設されたフック19が係合することにより、前記小型掃除機本体１をアップライト型本体ケース12に保持するようになっている。
【００１１】
９は前記集塵室３を開閉自在に被う蓋、10は前記電動送風機４への通電を制御する電源スイッチである。
【００１２】
前記吸込開口６は、小型掃除機本体１を後述するアップライト型本体ケース12の保持部13に収納した際に、該吸込開口６とアップライト型本体ケース12の接続部15とが図示しないパッキンにより気密に連通するようになっている。
【００１３】
11は前記小型掃除機本体１の電動機収納室５の一側壁に形成された排気部で、前記小型掃除機本体１を後述するアップライト型本体ケース12の保持部13に保持させた際に、後述するアップライト型本体ケース12の排気孔18と重なり合わない位置に形成されている。
【００１４】
12はアップライト型本体ケースで、前記小型掃除機本体１を着脱自在に保持する前面開口の保持部13と、該保持部13の上部に形成されるハンドル部14とを有するとともに、該アップライト型本体ケース12下部には、後述する吸込具20を取りつける通気口15が形成されている。前記アップライト型本体ケース12の保持部13に前記小型掃除機本体１を取りつけた際に、小型掃除機本体１上部とアップライト型本体ケース12との間に空間が形成され、この空間が排気室16となっている。
【００１５】
17は前記アップライト型本体ケース12の保持部13下辺の開口縁に形成された嵌合部で、前記小型掃除機本体１の下部を嵌合させて該小型掃除機本体１のアップライト型本体ケース12からの脱落を防止するようになっている。
【００１６】
18は前記アップライト型本体ケース12の保持部13側壁に形成された排気孔で、前記小型掃除機本体１の排気口11から排気される空気が、前記排気室16を介して該排気孔18から排出されるようになっている。
【００１７】
19は前記アップライト型本体ケース12のハンドル部14に形成されたフックで、前記小型掃除機本体１の把手部７の凹所８に係合し、小型掃除機本体１を係止するようになっている。
【００１８】
20は前記アップライト型本体ケース12の通気口15に取りつけられた吸込具で、回転ブラシ21及び該回転ブラシ21を駆動する駆動源22とを内蔵するとともに、該吸込具20の前部側方及び後方両側部には各々一対の車輪23、24が配設されている。
【００１９】
前記小型掃除機本体１をアップライト型本体ケース12に取りつけた状態では、小型掃除機本体１の側面とアップライト型本体ケース12の側面とが面一状に連続するとともに、アップライト型本体ケース12の下部、即ち嵌合部17の曲面と小型掃除機本体１前面の曲面、およびアップライト型本体ケース12の側面と小型掃除機本体１の前面とがほぼ連続するようになっている。
【００２０】
而して、ハンドクリーナーとして使用する際は、アップライト型本体ケース12のハンドル部14に形成したフック19を操作して小型掃除機本体１とのロック状態を解除し、小型掃除機本体１を取り外す。そして、電源スイッチ10を操作して掃除する。
【００２１】
また、アップライト型クリーナーとして使用する際は、小型掃除機本体１の先端部(吸込開口６側)をアップライト型本体ケース12の保持部13の嵌合部17に填め込み、小型掃除機本体１の先端部を支点として把手７側をアップライト型本体ケース12側へ回動させ、小型掃除機本体１の把手７の凹所８に、アップライト型本体ケース12のフック19を係合させて固定する。
【００２２】
この時、小型掃除機本体１の吸込開口６は、アップライト型本体ケース12の接続部15に気密に連通するとともに、小型掃除機本体１の排気部11とアップライト型本体ケース12の排気孔18との間に排気室16が形成されており、電動機４駆動中、吸込具20から吸い込まれた空気が小型掃除機本体１の吸込開口６から集塵室３、電動機収納室５、排気部11、排気室16を経てアップライト型本体ケース12の排気孔18から排気される。
【００２３】
この構成により、小型掃除機本体１をハンドクリーナーとして独立して使用できるとともに、小型掃除機本体１をアップライト型本体ケース12に取りつけることにより、アップライト型クリーナーとしても使用できるため、電動送風機４等の部品を共通使用することにより本体を重量化することなく２通りの使用方法が可能となり、操作性を低下させることがない。
【００２４】
また、アップライト型本体ケース12に小型掃除機本体１を取りつけた状態での外観が一体的になるため、美観を損なうこともない。
【００２５】
さらに、小型掃除機本体１とアップライト型本体ケース12との間に排気室16を形成することにより、小型掃除機本体１の排気が一旦排気室16に排出され、アップライト型本体ケース12の排気孔18から排気されるため、排気をの騒音を低減できる。
【００２６】
また、小型掃除機本体１の排気部11とアップライト型本体ケース12の排気孔18とを互いに重なり合わない位置に形成したため、小型掃除機本体１の排気がアップライト型本体ケース12の排気孔18から直接排気されることがなく、騒音の漏れが抑制されてアップライト型クリーナーとしての使用時排気の騒音をさらに抑制することができる。
【００２７】
【発明の効果】
本発明の請求項１によると、小型掃除機本体をアップライト型掃除機本体ケースに着脱することにより、ハンドクリーナーまたはアップライトクリーナーとして使用できるため、電動送風機の部品を共通使用することにより本体を重量化することなく２通りの使用方法が可能となり、操作性を低下させることがない。
また、第１排気口と第２排気口とを互いに重なり合わない位置に形成するとともに、小型掃除機本体の上部とアップライト型掃除機本体ケースとの間に、第１排気口から排気される空気が第２排気口から直接排気されないことで排気の騒音を低減できる排気室を形成したので、アップライト型クリーナとしての使用時排気の騒音を抑制することができる。
【図面の簡単な説明】
【図１】本発明の実施の形態を示す電気掃除機において、小型掃除機本体を分離した状態の側面図である。
【図２】同電気掃除機の側面図である。
【図３】同電気掃除機の反対側から見た側面図である。
【図４】同要部拡大断面図である。
【図５】同電気掃除機の正面図である。
【符号の説明】
１    小型掃除機本体(掃除機本体)
３    集塵室
５    電動機室
６    吸込開口(吸気口)
７    把手(第１把手部)
11    排気部(第１排気口)
12    アップライト型本体ケース(掃除機本体ケース)
14    ハンドル部(第２把手部)
15    通気口
16    排気室
18    排気孔(第２排気口)
【図１】
0003744580.tif 000002
【図２】
0003744580.tif 000003
【図３】
0003744580.tif 000004
【図４】
0003744580.tif 000005
【図５】
0003744580.tif 000006